(57)【要約】【課題】装飾性に優れ演出効果も発揮する照明体を提供すること。【解決手段】第１凹放物面で規定され、該第１凹放物面の頂部に相当する位置に光透過孔を有する第１光反射面と、その回転対称軸が前記第１凹放物面の回転対称軸に一致する第２凹放物面で規定され、前記第１光反射面に対向する第２光反射面と、光出射側が前記第１光反射面に対向した状態で、前記第１凹放物面の焦点位置に配置されるＬＥＤ光源と、を備える照明体とする。【選択図】図３
2009026531.tif 000002
【特許請求の範囲】
【請求項１】
第１凹放物面で規定され、該第１凹放物面の頂部に相当する位置に光透過孔を有する第１光反射面と、
その回転対称軸が前記第１凹放物面の回転対称軸に一致する第２凹放物面で規定され、前記第１光反射面に対向する第２光反射面と、
光出射側が前記第１光反射面に対向した状態で、前記第１凹放物面の焦点位置に配置されるＬＥＤ光源と、
を備える照明体。
【請求項２】
前記第２凹放物面の焦点距離が、前記第１凹放物面の焦点距離よりも長い、請求項１に記載の照明体。
【請求項３】
前記第１凹放物面の焦点が前記第２凹放物面の頂点に一致する、請求項１又は２に記載の照明体。
【請求項４】
前記ＬＥＤ光源の光軸が前記第１凹放物面の頂点を通る、請求項１〜３のいずれか一項に記載の照明体。
【請求項５】
前記第１光反射面が半透過面である、請求項１〜４のいずれか一項に記載の照明体。
【請求項６】
前記第１凹放物面に対応する凸放物面からなる上面と、前記第２凹放物面に対応する凸放物面からなる下面とを有する導光体が備えられ、
前記第１光反射面が、前記上面に形成された光反射層からなり、
前記第２光反射面が、前記下面に形成された光反射層からなる、請求項１〜５のいずれか一項に記載の照明体。
【請求項７】
前記ＬＥＤ光源が前記導光体に内包されている、請求項６に記載の照明体。
【請求項８】
前記ＬＥＤ光源が、レンズを有するＬＥＤランプである、請求項１〜７のいずれか一項に記載の照明体。
【請求項９】
前記光透過孔が、前記第１凹放物面の頂点に相当する位置を中心とした円形である、請求項１〜８のいずれか一項に記載の照明体。
【請求項１０】
前記第１光反射面が、前記光透過孔に加え、１又は複数個の光透過孔を有する、請求項１〜９のいずれか一項に記載の照明体。
【発明の詳細な説明】
【技術分野】
【０００１】
本発明は照明体に関する。詳しくは、ＬＥＤ光源を使用した照明体に関する。
【背景技術】
【０００２】
高輝度化を始めとする様々な技術革新を背景としてＬＥＤ光源の用途が拡がりをみせている。中でも「照明」は最も注目される用途であり、一部の照明用途には既にＬＥＤ光源が利用されている。照明用途では、所望の態様の光を照明対象に照射することが要求される。従って、これまでは光の制御に関する技術の開発・改良に力が注がれてきた（例えば特許文献１を参照）。特許文献１にはＬＥＤ光源からの光をレンズで制御する技術が開示されている。一方、照明用途では通常、光源自体を積極的に見せるような構成は採用されない。むしろ意匠性の低下を防止すべく、光源が視認されないように何らかの対策を講じることが多い。
本願発明に直接関係するものではないが、ホログラフィーを用いて画像を浮き上がった状態で観察できるようにする技術が開発されている（例えば特許文献２〜３を参照）。
【特許文献１】特開２００１−４４５１５号公報
【特許文献２】特開２００６−１９５００９号公報
【特許文献３】特開２００６−３４３４３６号公報
【特許文献４】特開２００６−３４３４３８号公報
【発明の開示】
【発明が解決しようとする課題】
【０００３】
以上の背景の下、装飾性に優れ演出効果も発揮する照明体を提供することを課題とする。
【課題を解決するための手段】
【０００４】
上記課題を解決するため、本発明は次の構成からなる。即ち、
第１凹放物面で規定され、該第１凹放物面の頂部に相当する位置に光透過孔を有する第１光反射面と、
その回転対称軸が前記第１凹放物面の回転対称軸に一致する第２凹放物面で規定され、前記第１光反射面に対向する第２光反射面と、
光出射側が前記第１光反射面に対向した状態で、前記第１凹放物面の焦点位置に配置されるＬＥＤ光源と、
を備える照明体である。
【発明の効果】
【０００５】
本発明の構成によれば、まずＬＥＤ光源からの光の一部が第１光反射面で反射される。ＬＥＤ光源が第１光反射面の焦点位置に配置されること及び第１光反射面の形状が凹放物面であることから、第１光反射面による反射で生じた光は平行光となる。当該平行光は、第１光反射面に対向する第２光反射面に反射されることになるが、第２光反射面の形状も凹放物面であることから、第２光反射面による反射で生じた光は集光し、像を結ぶ。即ち、ＬＥＤ光源の虚像を生成する。これによって、ＬＥＤ光源が虚像として浮き上がった状態で観察されることになり、照明効果や装飾的効果はもとより演出効果も発揮される。
【発明を実施するための最良の形態】
【０００６】
本発明は２つの光反射面（第１光反射面及び第２光反射面）を備える。第１光反射面は第１凹放物面で規定される面である。つまり、第１光反射面の形状は、第１凹放物面の一部の形状（部分凹放物面）である。
【０００７】
第１光反射面では、第１凹放物面の頂部に相当する位置に光透過孔（以下、「主光透過孔」という）が設けられている。主光透過孔からは、第１光反射面による反射及び第２光反射面による反射によって生じた光が外部に取り出される。即ち、主光透過孔はＬＥＤ光源の虚像の生成に利用される。また、ＬＥＤ光源の光の一部は直接（第１光反射面及び第２光反射面による反射を経た後ではなく）主光透過孔から外部に取り出されることになる。主光透過孔の大きさは特に限定されない。主光透過孔の大きさの設定においては、そこからの光取り出し量、生成されるＬＥＤ光源の虚像（以下、「ＬＥＤ光源の虚像」のことを省略して「虚像」という）の状態などが考慮される。主光透過孔が小さすぎれば、主光透過孔を介して十分な光を取り出すことができず照明効果や装飾効果が減少する。また、虚像も現れにくくなる。一方、主光透過孔が大きすぎると、第１光反射面によって反射される光の量を十分に確保できず、虚像が現れにくくなる。例えば、第１光反射面全体の面積の３％〜４０％に相当する面積の主光透過孔を設ければよい。好ましくは、第１光反射面全体の面積の５％〜１０％に相当する面積の主光透過孔を設ける。
【０００８】
主光透過孔の形状も特に限定されない。主光透過孔の形状の例として円形、三角形や四角形などの多角形、星形などを挙げることができる。好ましくは第１凹放物面の頂点に相当する位置を中心とした円形状の主光透過孔とする。状態のよい虚像を生成することができ、光の取り出し率も向上するからである。
【０００９】
第１光反射面と同様に第２光反射面も凹放物面（第２凹放物面）で規定される。第２凹放物面はその回転対称軸が第１凹放物面の回転対称軸に一致する凹放物面である。また、第２凹放物面と第１凹放物面は対向する位置関係にあり、従って第２凹放物面で規定される第２光反射面は第１凹放物面で規定される第１光反射面に対向することになる。
【００１０】
第１凹放物面と第２凹放物面の焦点距離はいずれも特に限定されない。但し、第２凹放物面の焦点距離が、第１凹放物面の焦点距離よりも長いことが好ましい。かかる条件を満たす場合、第２光反射面による反射光が結像する位置は、第１光反射面と第２光反射面の間にはなく、第２光反射面からみて第１光反射面よりも前方にある。即ち、第１光反射面を越えた位置に結像、即ち虚像が現れる。従って、外部に飛び出した状態（換言すれば浮き上がった状態）の虚像が観察されることになり、高い演出効果が奏される。
【００１１】
第１凹放物面の焦点距離と第２凹放物面の焦点距離の関係は後者が前者の例えば１．２倍〜５倍、好ましくは１．５倍〜３倍である。第１凹放物面の焦点距離と第２凹放物面の焦点距離の差が小さすぎると、虚像が浮き上がって見えるという本発明の効果を発揮し難くなり、逆に大きすぎると虚像の結像位置が遠くなるために光量不足が生じ、明瞭な虚像を得にくい。
【００１２】
一方、第１凹放物面の焦点が第２凹放物面の頂点に一致することが好ましい。後述の通り、第１凹放物面の焦点にはＬＥＤ光源が配置されるところ、当該形態によればＬＥＤ光源の位置が第２凹放物面の頂点にも一致する。これによってＬＥＤ光源と第１光反射面が適度に離間することになり、ＬＥＤ光源からの光の内、適当な量の光が第１光反射面に照射し、良好な状態の虚像の生成を促す。尚、ＬＥＤ光源は指向性の高い光を出射することから、ＬＥＤ光源が第１凹放物面に近接した位置にあれば十分量の光を第１光反射面に照射することができない。これとは逆にＬＥＤ光源が第２凹放物面の頂点位置よりも第１凹放物面から離れた位置にあれば、ＬＥＤ光源からの光の一部が第２光反射面によって遮断されるおそれがあり、光利用率が低下する。第２光反射面に光透過孔を設けることにすれば、このような第２光反射面による光の遮断を防止することができるものの、この場合には第２光反射面による反射作用が犠牲になり（第１光反射面による光反射光が入射する面積が減少する）、光利用率の低下を招く。
【００１３】
第１光反射面及び第２光反射面はいずれも、鏡面反射する面であることが好ましい。反射の際の光の損失を抑えるためである。一方で鏡面であることは好ましい反射作用を生じさせ、虚像の生成を促す。
【００１４】
本発明の好ましい一形態では第１光反射面が半透過面である。「半透過面」とは反射と透過といった、相反する二つの機能を併せ持つ面をいい、ハーフミラー面とも呼ばれる。第１光反射面を半透過面とすれば、ＬＥＤ光源からの光の一部が第１光反射面を透過し、外部照射する。従って、外部からは第１光反射面部分が発光するように観察され、独特な照明効果を醸し出す。一方、第１光反射面を半透過面にすれば内部構造が外部から観察されないようにすることもできる。従って、意匠性が向上するとともに、ＬＥＤ光源の点灯時においては突如として光が現れるという意外性も演出できる。
【００１５】
半透過面は例えば所定膜厚の金属層（Ａｌ（アルミ）、Ａｇ（銀）、Ａｕ（金）又はこれらの合金などの層）によって形成される。また、金属層と光透過性の樹脂などからなる保護層とを順次積層することにより半透過面を形成することもできる。このような半透過面の形成方法の一例を示す。まずＡｌ薄膜からなる金属層を形成する。金属層はハーフミラー効果が得られるような厚さとする。例えば、金属層を光の透過率が約１５〜２０％となるような厚さとすることができる。続いて、エポキシ樹脂等の透明な樹脂を印刷、塗布等により金属層に重ねて形成し保護層とする。半透過面の構成、及び形成方法はこれに限られず公知のものをそれぞれ採用できる。また、保護層の表面、又は金属層と保護層との間などにインク層を設けることもできる。インク層は例えば黄色等の色のインクを印刷、塗布等することにより形成することができる。
【００１６】
第１光反射面と同様に半透過面で第２光反射面を構成することも可能であるが、第２光反射面に到達する光は基本的には第１光反射面による反射を経た光のみでありその光量が少ないこと、及び虚像の生成の目的においては可能な限り多くの光を反射する方が有利であることから、光を透過しない高反射率の面で第２光反射面を構成することが好ましい。
【００１７】
主光透過孔（虚像の生成に利用される光透過孔）に加え、１又は複数個の光透過孔を第１反射面に設けても良い。このような光透過孔を設ければ、そこを通ってＬＥＤ光源の光が外部に取り出され、特有の照明効果を奏する。即ち、光透過孔からＬＥＤ光源の光が効率的に取り出される結果、光透過孔部分が高輝度に発光する（第１光反射面が半透過面の場合は光透過孔部分と他の部分との間に輝度差が感得される）。
【００１８】
（ＬＥＤ光源）
本発明の照明体では光源としてＬＥＤ光源を使用する。ＬＥＤ光源は小型であること、駆動電力が小さいこと、発熱量が少ないこと、長寿命であることなど様々な利点を有する。ＬＥＤ光源の種類は特に限定されず、砲弾タイプ（レンズタイプ）、表面実装（ＳＭＤ）タイプ型、チップオンボード（ＣＯＢ）タイプ等、種々のタイプのＬＥＤ光源を採用できる。ＬＥＤ光源の発光色は任意に選択できる。例えば、白色、赤、橙、緑、青等の可視領域の発光波長を有するＬＥＤ光源を採用できる。
ＬＥＤチップの光の一部を蛍光体で波長変換し、ＬＥＤチップの光と蛍光とが混合した光を放射するＬＥＤ光源を使用することもできる。蛍光体は例えばＬＥＤ光源の封止樹脂に含有させることができる。封止樹脂の表面に蛍光体を含む層を設けてもよい。
同種又は異種のＬＥＤチップが複数個内蔵されたＬＥＤランプを使用することもできる。例えば、赤、緑、青の各色のＬＥＤチップを一つの基板上にマウントしたＬＥＤランプを用い、各ＬＥＤチップの発光態様を制御すれば、所望の色を発光させることができる。これにより、所望の発光色を発光する照明体が構成される。
【００１９】
ＬＥＤ光源はその光出射側が第１光反射面に対向した状態で、第１凹放物面の焦点位置に配置される。当該配置態様を採用することによってＬＥＤ光源から第１光反射面へと光が照射するとともに、第１光反射面による反射で生ずる光が平行光になる。当該平行光は次いで第２光反射面による反射を受けた後、集光して像を結ぶ。
【００２０】
好ましくは、ＬＥＤ光源の光軸が第１凹放物面の頂点を通るようにＬＥＤ光源を配置する。このようにすれば、第１凹放物面で規定される第１光反射面に対して、第１凹放物面の頂点位置を中心とした対称的な配光が行われることから、虚像の生成に有利である。
【００２１】
（導光体の使用）
本発明の一形態では導光体の表面に第１光反射面と第２光反射面が形成される。この形態で使用される導光体の一例では、第１凹放物面に対応する凸放物面からなる上面と、第２凹放物面に対応する凸放物面からなる下面を有する。そして、導光体の上面に光反射層を形成し、これを第１光反射面とする。同様に導光体の下面に光反射層を形成し、これを第２光反射面とする。
【００２２】
本発明では、表裏の関係にある凹放物面と凸放物面を表現するために用語「対応する」を使用する。従って、特定の凹放物面に対応する凸放物面とは、当該凹放物面と表裏の関係にある凸放物面のことである。この逆も同様である。尚、対応する凹放物面と凸放物面は一の放物線で規定される（規定する放物線が一致する）。
【００２３】
２つの導光体（本発明では、「第１導光体」及び「第２導光体」と呼ぶ）を用いて第１光反射面及び第２光反射面を形成することも可能である。この場合の一例を示すと、第１凹放物面に対応する凸放物面からなる上面を有する導光体（第１導光体）と、第２凹放物面に対応する凸放物面からなる下面を有する導光体（第２導光体）を用意する。そして第１導光体の上面に光反射層を形成し、これを第１光反射面とする。同様に第２導光体の下面に光反射層を形成し、これを第２光反射面とする。第１導光体及び第２導光体は、前者の下面と後者の上面が対向する位置関係で配置される。この形態では第１導光体及び第２導光体を配置した際、外側となる面の上に各反射面が形成されるが、内側となる面の上に片方の反射面又は両反射面を形成することにしてもよい。例えば、第１凹放物面で規定される下面を有する第１導光体を用意し、当該導光体の下面に光反射層を形成し、これを第１光反射面とする。第２反射面については上記の形態と同様に第２導光体の下面に形成する。他の例では、第２凹放物面で規定される上面を有する第２導光体を用意し、当該導光体の上面に光反射層を形成し、これを第２光反射面とする。第１光反射面については上記の形態と同様に第１導光体の上面に形成する。更に他の例では、第１凹放物面で規定される下面を有する第１導光体を用意し、当該導光体の下面に光反射層を形成し、これを第１光反射面とするとともに、第２凹放物面で規定される上面を有する第２導光体を用意し、当該導光体の上面に光反射層を形成し、これを第２光反射面とする。
以上の各例のように２つの導光体を使用する場合、第１導光体に貫通孔を穿設し、これを主光透過孔として利用するようにしてもよい。かかる形態では、主光透過孔を通過する際に光の屈折が生じないことから、各導光体の形状を簡素化でき、設計上及び製造上好ましい。
【００２４】
導光体の材質はＬＥＤ光源の光に対して透過性であれば特に限定されない。導光体の材料としては例えば、アクリル樹脂、ポリメチルメタクリレート（PMMA）、ポリエチレンテレフタレート（PET）、ポリカーボネート樹脂、ガラス等を用いることができる。
導光体は必ずしも無色透明である必要はなく、必要な透過性が得られればよい。例えば有色透明の導光体を用いることにしてもよい。
【００２５】
以上のように導光体を使用する場合、ＬＥＤ光源を導光体に内包させるとよい。導光体へ入射する際の光の損失を抑えることができるからである。ＬＥＤ光源の素子構造が導光体に完全に埋設していることが好ましい。インモールド成形法を利用すればこのような構成を容易に作製することができる。尚、導光体にＬＥＤ光源用の凹部を設け、当該凹部内にＬＥＤ光源が嵌め込まれるような構成についても、「導光体にＬＥＤ光源が内包された状態」とする。
【００２６】
第１光反射面又は第２光反射面を構成する光反射層は、光反射率の高い材料の蒸着、メッキ、塗布などによって形成することができる。金属材料としてはＡｌ（アルミ）、Ａｇ（銀）、Ａｕ（金）又はこれらの合金などを用いることができる。
以下、実施例に基づき本発明をより詳細に説明する。
【実施例】
【００２７】
本発明の実施例の一つである照明体１を図１〜３に示す。図１は照明体１の斜視図、図２は同上面図、図３は同断面図（図２のＡ−Ａ線位置での断面）である。照明体１は室内装飾や屋外装飾のための照明具ないし発光体として利用される。
照明体１はレンズ（導光体）１０及びＬＥＤランプ２０を備える。レンズ１０は透明アクリル樹脂製の中実レンズであり、その外形は略円盤状である。詳しくは、レンズ１０の外形は上面１１側、下面１２側ともに凸放物面である。
【００２８】
レンズ上面１１には中央部と縁部を除いて光反射層が形成されている。当該光反射層によって、レンズ１０内側に対する反射面（第１光反射面１１ａ）が形成される。第１光反射面１１ａの形成領域を図２では斜線で示し、図３では矢印ａで示す。第１光反射面１１ａが形成されない、レンズ上面１１の中央部は半径ｒが６ｍｍの円形状である。当該中央部は光透過孔１４として利用され、その面積は第１光反射面１１ａの形成領域の面積の約１／６０である。尚、レンズ１０の半径Ｒは約４５ｍｍである。
【００２９】
第１光反射面１１ａはレンズ上面１１に対応する形状、即ち凹放物面形状となる。第１光反射面１１ａはＡｌの蒸着（厚さ約４０ｎｍ）によって形成されたハーフミラー面である。従って、ＬＥＤランプ２０が非点灯状態では、第１光反射面１１ａが金属調に観察されるとともに、ＬＥＤランプ２０が点灯した際には第１光反射面１１ａを通って光が外部に放射する。
【００３０】
レンズ１０の下面１２側の中央にはＬＥＤランプ２０を収容するための凹部１３が設けられている。当該凹部１３はＬＥＤランプ２０の封止樹脂の外形に合わせた曲面形状を有する。当該凹部１３に収容されることによってＬＥＤランプ２０はレンズ１０に内包された状態となる。凹部１３を除いて、レンズ１０の下面１２には光反射層が形成されている。この光反射層によって、レンズ１０の内側に対する反射面（第２光反射面１２ａ）が形成される。第２光反射面１２ａの形成領域を図３では矢印ｂで示す。第２光反射面１２ａはレンズ下面１２に対応する形状、即ち凹放物面となる。第２光反射面１２ａはＡｌの蒸着（厚さ約１００ｎｍ）によって形成された光反射面である。第２光反射面１２ａは、第１光反射面１１ａとは異なり、ハーフミラー面ではなく（即ち反射率が高く、光透過率は極めて低い）ＬＥＤランプ２０からの光を効率的に反射する。
【００３１】
以下、説明の便宜上、第１光反射面１１ａを規定する凹放物面を第１凹放物面と呼び、第２光反射面１２ａを規定する凹放物面を第２凹放物面と呼ぶ。第１凹放物面は式ｙ＝−ａｘ２で表され、焦点距離ｌ１が約２９ｍｍの凹放物面である。他方、第２放物面は式ｙ＝ｂｘ２−１／（４ａ）で表され、焦点距離ｌ２が約３６ｍｍの凹放物面である。このように第１凹放物面の焦点距離ｌ１よりも第２凹放物面の焦点距離ｌ２の方が長い。
この実施例では、第１光反射面１１ａを規定する第１凹放物面の焦点位置と、第２光反射面１２ａを規定する第２凹放物面の頂点位置が一致する。従って、第１凹放物面と第２凹放物面は共通の回転対称軸（図３の符号Ａ）を有する。
【００３２】
ＬＥＤランプ２０は青色ＬＥＤチップを内蔵し、レンズを有するＬＥＤランプである。ＬＥＤランプ２０は、第１光反射面１１ａを規定する第１凹放物面の焦点位置に配置される。ここで、上記の通り第１凹放物面の焦点位置と第２凹放物面の頂点位置は一致する。従って、ＬＥＤランプ２０の位置は第１凹放物面の焦点位置であり、且つ第２凹放物面の頂点位置である。
一方、ＬＥＤランプ２０の光軸はレンズ上面１１の頂点（即ち第１凹放物面の頂点）を通り、第１凹放物面及び第２凹放物面の回転対称軸に一致する。ＬＥＤランプ２０は外部電源（電池やバッテリーなど）に接続される（図示せず）。ＬＥＤランプ２０には点灯状態を制御する制御回路も接続される（図示せず）。
【００３３】
続いて照明体１の照明態様を説明する。まず、ＬＥＤランプ２０が非点灯状態のときには、レンズ１０の上面１１側及び下面１２側ともに、一部の領域（光透過孔１４など、光反射層が形成されない領域）を除き、金属調で観察される。ＬＥＤランプが給電を受けて発光すると、直上方向（光軸方向）に出射した光はレンズ１０内を進行し、光透過孔１４を通って外部に放射する。この放射光はＬＥＤランプ１０の虚像の生成にも利用される。
【００３４】
一方、ＬＥＤランプ２０から斜め上方に出射した光はレンズ１０内を進行し、レンズ上面１１に形成された第１光反射面１１ａ（ハーフミラー面）でその一部が反射される。反射光は平行光となって下方へと進行し、レンズ下面１２に形成された第２光反射面１２ａによる反射を受ける。その結果生じた光が光透過孔１２を通って外部に放射し、そして集光することで像を結ぶ。即ちＬＥＤランプ２０の虚像を生成する。これによって、ＬＥＤランプ２０が虚像として浮き上がった状態で観察される。換言すれば、レンズ上面１１から所定距離置いた位置に疑似発光点が生ずる。
一方、ＬＥＤランプ２０から斜め上方に出射した光の内の一部は第１光反射層１１ａ（ハーフミラー面）を透過して外部に放射する。これによって、レンズ上面１１において第１光反射層１１ａが形成された領域からも弱い光の放射が認められることになる。また、レンズ１０の導光作用によって、レンズ上面１１の縁部からも光が放射する。尚、エッジ効果が奏される結果、縁部には、第１光反射層１１ａが形成された領域よりも高輝度の光が観察される。
【００３５】
以上のように照明体１ではＬＥＤランプ２０が点灯すると、レンズ１０から飛び出すように突如として発光点が現れるとともにレンズ１０の上面１１側が弱い光で発光することになり、意外性及び演出性に富む照明態様が得られる。
【００３６】
ところで、照明体１では、第１光反射面１１ａを規定する第１凹放物面の焦点位置、且つ第２光反射面１２ａを規定する第２凹放物面の頂点位置にＬＥＤランプを配置した。これによって、くっきりとした虚像の生成が可能になり、光の利用率も向上する。また、ＬＥＤランプ２０の光軸がレンズ上面１１の頂点（即ち第１凹放物面の頂点）を通るようにしたことから、当該頂点を中心としたバランスの良い配光が行われる。このことも虚像の生成に有利に働く。
【００３７】
虚像の生成位置は、第１光反射面１１ａを規定する第１凹放物面の焦点距離と、第２光反射面１２ａを規定する第２凹放物面の焦点距離の関係に依存する。これら２つの焦点距離の差を大きくすれば虚像の生成位置を調整可能である。例えば、焦点距離の差を大きくすれば一層浮き上がった状態の虚像を生成することができる。
【００３８】
照明体１ではレンズ１０の平面視形状は円であるが（図２）、これに限るものではない。一例として、花びら様の平面視形状を有するレンズ３０を図４に示す。レンズ３０は平面視において、円弧が連続した形状の外縁３１を有する。
【００３９】
レンズ上面１１において光反射層を形成する領域の位置、面積、形状など、及びレンズ上面１１の中央部に設けられる光透過孔１４の面積、形状などは、所望の虚像が生成される限りにおいて特に限定されない。例えば図４のレンズ３０では、レンズ１０に比較して光反射層３２（斜線部）を形成する領域を少なくしている。また、光透過孔３３の形状として略星形を採用している。
【００４０】
虚像の生成に利用される光透過孔（即ちレンズ中央部の光透過孔）以外にも光透過孔を設けることにしてもよい。例えば図４のレンズ（導光体）３０では、光透過孔３３に加え、合計５個の光透過孔３４（星形）を設けている。光透過孔３４ではＬＥＤランプからの光の一部が直接取り出される。従って、光透過孔３４には高輝度の発光が観察される。ここで、レンズ３０の上面に形成される光反射層３２をハーフミラー面ではなく、下面側の光反射層と同様の光反射層（ＬＥＤランプの光を実質的に透過しない）にすれば、光反射層３２形成領域からは光が放射せず、光透過孔３４のみから光が放射するようになる。
【００４１】
照明体１では中実のレンズ１０を用いることにしたが、図５及び図６に示すように、２つの導光体を組合せた中空の構造体によっても、照明体１と同様の照明効果を得ることが可能である。図５の例（照明体４０）では、第１凹放物面で規定される下面を有するレンズ（導光体）４１と、第２凹放物面で規定される上面を有するレンズ（導光体）４５が使用される。レンズ４１とレンズ４５は両者の縁部で接続（例えば融着や溶着による）されている。レンズ４１の下面４２には中央部を除いてハーフミラー面４３が形成されている。一方のレンズ４５では、ＬＥＤランプ２０を収容するために中央部に所定径の孔４８が設けられている。また、導光体４５の上面４６には光反射面４７が形成されている。
照明体４０では、レンズ４１の下面４２に形成されたハーフミラー面４３による反射、及びレンズ４５の上面４６に形成された光反射面４７による反射によって生じた光がレンズ４１の中央部４４を通って外部に取り出されることによって集光し、ＬＥＤランプ２０の虚像を生成する。
【００４２】
図６の例（照明体５０）では凸放物面（第１凹放物面に対応する凸放物面）で規定される上面５２を有し、中央部に所定径の孔５４が設けられたレンズ（導光体）５１と、凸放物面（第２凹放物面に対応する凸放物面）で規定される下面５６を有し、中央部に所定径の孔５８が設けられたレンズ（導光体）５５が使用される。レンズ５１の孔５４は光の取り出しに利用され、レンズ５５の孔５８はＬＥＤランプ２０の収容に利用される。レンズ５１の上面５２には全体に亘ってハーフミラー面５３が形成されている。他方、レンズ５５の下面５６には光反射面５７が形成されている。尚、照明体４０と同様に、これら２つのレンズ５１、５５の縁部同士は接続されている。
照明体５０では、レンズ５１の上面５２に形成されたハーフミラー面５３による反射、レンズ５５の下面５６に形成された光反射面５７による反射によって生じた光がレンズ５１の孔５４を通って外部に取り出されることによって集光し、ＬＥＤランプ２０の虚像を生成する。
尚、照明体４０及び５０において、特に説明しない部材・要素については、照明体１の対応する説明が援用される。
【００４３】
図５の例ではハーフミラー面４３と光反射面４７の両者を照明体の内側に形成し、図６の例ではハーフミラー面５３と光反射面５７の両者を照明体の外側に形成した。ハーフミラー面と光反射面の形成位置はこの例に限られるものではない。即ち、ハーフミラー面を照明体の内側（即ちレンズの下面）に形成し、光反射面を照明体の外側（即ちレンズの下面）に形成することにしてもよく、或いはこの逆の態様で両者を形成することにしてもよい。
【００４４】
以上の各照明体ではＬＥＤ光源として、レンズを有する砲弾型ＬＥＤランプを使用したが、ＬＥＤ光源の種類は特に限定されない。例えば砲弾型ＬＥＤランプに代えて表面実装型又はチップオンボードタイプのＬＥＤランプを使用することが可能である。また、ＬＥＤ光源の発光色は用途に応じて選択されるものである。異なる発光色のＬＥＤチップを組み合わせて搭載したＬＥＤランプ（例えば、ＲＧＢ各色のＬＥＤチップを搭載した、いわゆる３イン１タイプのＬＥＤランプ）を使用することにし、多色発光可能な照明体を構成することも可能である。
外部電源を利用してＬＥＤランプを駆動するのではなく、電池などを内蔵することにしてもよい。
【産業上の利用可能性】
【００４５】
本発明の照明体は室内装飾、屋外装飾など、様々な用途に利用可能である。用途の例として、インテリアランプ、クリスマスツリー用の装飾体、屋外イルミネーション用の装飾体を挙げることができる。
【００４６】
この発明は、上記発明の実施の形態及び実施例の説明に何ら限定されるものではない。特許請求の範囲の記載を逸脱せず、当業者が容易に想到できる範囲で種々の変形態様もこの発明に含まれる。
本明細書の中で明示した論文、公開特許公報、及び特許公報などの内容は、その全ての内容を援用によって引用することとする。
【００４７】
次の事項を開示する。
（１）前記第１光反射面が、前記第１凹放物面に対応する凸放物面からなる上面を有する第１導光体の該上面に形成された光反射層からなり、
前記第２光反射面が、前記第２凹放物面に対応する凸放物面からなる下面を有する第２導光体の該下面に形成された光反射層からなり、
前記第１導光体の下面と前記第２導光体の上面が対向する、請求項１〜５のいずれかに記載の照明体。
（２）前記第１光反射面が、前記第１凹放物面で規定される下面を有する第１導光体の該下面に形成された光反射層からなり、
前記第２光反射面が、前記第２凹放物面に対応する凸放物面からなる下面を有する第２導光体の該下面に形成された光反射層からなり、
前記第１導光体の下面と前記第２導光体の上面が対向する、請求項１〜５のいずれかに記載の照明体。
（３）前記第１光反射面が、前記第１凹放物面に対応する凸放物面からなる上面を有する第１導光体の該上面に形成された光反射層からなり、
前記第２光反射面が、前記第２凹放物面で規定される上面を有する第２導光体の該上面に形成された光反射層からなり、
前記第１導光体の下面と前記第２導光体の上面が対向する、請求項１〜５のいずれかに記載の照明体。
（４）前記第１光反射面が、前記第１凹放物面で規定される下面を有する第１導光体の該下面に形成された光反射層からなり、
前記第２光反射面が、前記第２凹放物面で規定される上面を有する第２導光体の該上面に形成された光反射層からなり、
前記第１導光体の下面と前記第２導光体の上面が対向する、請求項１〜５のいずれかに記載の照明体。
（５）前記光透過孔が、前記第１導光体に穿孔された貫通孔からなる、（１）〜（４）のいずれか一項に記載の照明体。
（６）前記ＬＥＤ光源が砲弾型ＬＥＤランプである、（１）〜（５）のいずれか一項に記載の照明体。
（７）前記光透過孔が、前記第１凹放物面の頂点に相当する位置を中心とした円形である、（１）〜（６）のいずれか一項に記載の照明体。
（８）前記第１光反射面が、前記光透過孔に加え、１又は複数個の光透過孔を有する、（１）〜（７）のいずれか一項に記載の照明体。
【図面の簡単な説明】
【００４８】
【図１】実施例の照明体１の斜視図。
【図２】実施例の照明体１の上面図。
【図３】実施例の照明体１の断面図。
【図４】他の実施例の照明体２の上面図。
【図５】他の実施例の照明体４０の断面図。
【図６】他の実施例の照明体５０の断面図。
【符号の説明】
【００４９】
１、２、４０、５０  照明体
１０、３０、４１、４５、５１、５５  レンズ（導光体）
１１ａ、４３、５３  第１光反射面（ハーフミラー面）
１２ａ、４７、５７  第２光反射面
１３  凹部（ＬＥＤランプの収容部）
２０  ＬＥＤランプ
１４、３３、３４、４４  光透過孔
４８、５４、５８  貫通孔
【図１】
2009026531.tif 000003
【図２】
2009026531.tif 000004
【図３】
2009026531.tif 000005
【図４】
2009026531.tif 000006
【図５】
2009026531.tif 000007
【図６】
2009026531.tif 000008